(57)【要約】【課題】エレベーター信号伝送装置において、エレベーター監視盤とエレベーター制御盤との間で新たな種類の信号を伝送させる場合における、エレベーター設備業者の費用の増大を抑制し、かつ、信号線の劣化による断線を防止することである。【解決手段】エレベーター信号伝送装置３０は、エレベーター制御盤及びエレベーター監視盤の間で信号を伝送する信号経路を含み、エレベーター制御盤は、建物に配置され、昇降路内で昇降する乗りかごの昇降を制御し、エレベーター監視盤は、建物において、エレベーター制御盤が配置される階より下側の階に配置され、エレベーターの運転状況を表示する表示部、及びエレベーターの運転を指示する操作部を有し、エレベーターの運転を監視し、信号経路において、昇降路外の信号経路の少なくとも一部が無線化されている。【選択図】図１
2018188261.tif 000002
【特許請求の範囲】
【請求項１】
エレベーター制御盤及びエレベーター監視盤の間で信号を伝送する信号経路を備え、
前記エレベーター制御盤は、建物に配置され、昇降路内で昇降する乗りかごの昇降を制御し、
前記エレベーター監視盤は、前記建物において、前記エレベーター制御盤が配置される階より下側の階に配置され、エレベーターの運転状況を表示する表示部、及び前記エレベーターの運転を指示する操作部を有し、前記エレベーターの運転を監視し、
前記信号経路において、前記昇降路外の前記信号経路の少なくとも一部が無線化されている、エレベーター信号伝送装置。
【請求項２】
請求項１に記載のエレベーター信号伝送装置において、
前記信号経路は、前記昇降路内に配置された少なくとも１つの中継盤を含み、
前記エレベーター監視盤は、前記中継盤との間で無線信号を伝送する第１無線伝送部を含み、
前記中継盤は、前記第１無線伝送部との間で無線信号を伝送する第２無線伝送部を含み、
前記信号経路において、前記第１無線伝送部及び前記第２無線伝送部との間が無線化され、
前記中継盤と前記エレベーター制御盤とは、有線または無線で接続される、エレベーター信号伝送装置。
【請求項３】
請求項１または請求項２に記載のエレベーター信号伝送装置において、
前記エレベーター監視盤は、前記建物内で異常が検知されたことを表す異常検知信号が入力される、エレベーター信号伝送装置。
【請求項４】
請求項１から請求項３のいずれか１に記載のエレベーター信号伝送装置において、
前記エレベーター制御盤は、前記建物の屋上または最上階に配置され、
前記エレベーター監視盤は、前記昇降路から離れた１階または地下の管理人室に配置される、エレベーター信号伝送装置。
【発明の詳細な説明】
【技術分野】
【０００１】
本発明は、エレベーター信号伝送装置に関する。
【背景技術】
【０００２】
エレベーターでは一般的に、老朽化への対応または機能向上などを目的として、モダニゼーションと呼ばれる改修作業が必要に応じて行われる。この改修作業ではエレベーターの運転を監視するエレベーター監視盤と、エレベーターを制御するエレベーター制御盤との間で、エレベーターの機能向上等のための新たな種類の信号を伝送させる機能を付加する場合がある。例えば、エレベーター監視盤が火災報知器から火災検知信号を受け取った場合に、火災時管制運転の指示をエレベーター制御盤に伝送させる機能を付加する場合がある。
【０００３】
特許文献１には、乗りかごと、乗りかごを昇降させるための巻き上げ機を駆動制御するエレベーター制御装置との間で、信号を無線で伝送する構成が記載されている。
【先行技術文献】
【特許文献】
【０００４】
【特許文献１】特開２００６−３２１５７６号公報
【発明の概要】
【発明が解決しようとする課題】
【０００５】
上記のようにエレベーター監視盤とエレベーター制御盤との間で新たな種類の信号を伝送させる場合、エレベーター監視盤から、昇降路にその信号を伝送する信号線を導いて、中継盤に接続するか、または建物の上側でエレベーター制御盤に接続する必要がある。このとき、その信号線は、建物内で昇降路の外側にも配線する必要があるが、昇降路外には別の信号線も多く配置されるので、エレベーター設備業者側でその追加の信号線を昇降路外に配線することは困難である。これにより、電気工事会社にその信号線の配線を依頼する必要があるので、エレベーター設備業者の費用が増大する要因となる。また、信号線が多く配置される場合、信号線の劣化による断線の可能性が高くなる。また、エレベーター監視盤にスイッチの取付を行ったり、その監視盤の仕様を変更した場合も、その監視盤とエレベーター制御盤との間で新たな種類の信号を伝送させる必要が生じる場合があり、その場合も上記と同様の不都合が生じるおそれがある。特許文献１に記載された構成によっては、上記の不都合を解消できない。
【０００６】
本発明に係るエレベーター信号伝送装置の目的は、エレベーター監視盤とエレベーター制御盤との間で新たな種類の信号を伝送させる場合において、エレベーター設備業者の費用の増大を抑制し、かつ、信号線の劣化による断線を防止することである。
【課題を解決するための手段】
【０００７】
本発明に係るエレベーター信号伝送装置は、エレベーター制御盤及びエレベーター監視盤の間で信号を伝送する信号経路を備え、前記エレベーター制御盤は、建物に配置され、昇降路内で昇降する乗りかごの昇降を制御し、前記エレベーター監視盤は、前記建物において、前記エレベーター制御盤が配置される階より下側の階に配置され、エレベーターの運転状況を表示する表示部、及び前記エレベーターの運転を指示する操作部を有し、前記エレベーターの運転を監視し、前記信号経路において、前記昇降路外の前記信号経路の少なくとも一部が無線化されている。
【発明の効果】
【０００８】
本発明に係るエレベーター信号伝送装置によれば、エレベーター監視盤とエレベーター制御盤との間で新たな種類の信号を伝送させる場合において、エレベーター設備業者の費用の増大を抑制でき、かつ、信号線の劣化による断線を防止できる。
【図面の簡単な説明】
【０００９】
【図１】実施形態のエレベーター信号伝送装置を含むエレベーターを示す図である。
【図２】実施形態のエレベーター信号伝送装置の構成図である。
【発明を実施するための形態】
【００１０】
以下、図面を用いて本発明の実施形態を説明する。以下ではすべての図面において同等の要素には同一の符号を付して説明する。また、本文中の説明においては、必要に応じてそれ以前に述べた符号を用いるものとする。
【００１１】
図１は、実施形態のエレベーター信号伝送装置３０を含むエレベーターを示す図である。図２は、エレベーター信号伝送装置３０の構成図である。
【００１２】
エレベーターは、建物の昇降路１０内に配置される乗りかご１１と、エレベーター駆動装置１３と、エレベーター信号伝送装置３０とを含んで構成される。乗りかご１１は、ロープ１４を介してつり合い重り１５に連結される。エレベーター駆動装置１３は、機械室１６に配置され巻き上げ機１７を有する。機械室１６は、建物において、例えば屋上、または最上階等に配置される。ロープ１４は、巻き上げ機１７に巻きかけられる。乗りかご１１は、巻き上げ機１７の駆動によって昇降路１０内で昇降する。
【００１３】
エレベーター信号伝送装置３０は、エレベーター制御盤３１及びエレベーター監視盤４０と、エレベーター制御盤３１及びエレベーター監視盤４０の間で信号を伝送する信号経路４５とを含んで構成される。エレベーター制御盤３１は、ＣＰＵなどの演算制御部と、メモリなどの記憶部とを有する。また、エレベーター制御盤３１は、制御有線伝送部３２と、エレベーター制御部３３とを有し、機械室１６に配置される。制御有線伝送部３２は、後述の中継盤５０の中継有線伝送部５１と有線である信号ケーブル６０で接続され、中継盤５０との間で信号の送受信を行う。エレベーター制御部３３は、エレベーター駆動装置１３の駆動を制御することにより乗りかご１１の昇降を制御する。
【００１４】
エレベーター制御部３３は、通常運転モードと、火災管制運転などを行う異常時運転モードとを実行させる機能を有する。「通常運転モード」は、利用者が通常時に乗りかご１１で移動するために実行されるモードであり、エレベーター乗場または乗りかご１１内のボタンの操作によってエレベーター制御部で呼び登録が行われ、その呼び登録にしたがって乗りかご１１を昇降させる。「異常時運転モード」は、後述のエレベーター監視盤４０からエレベーター制御盤３１に火災時管制運転の指示を表す信号等の異常時制御信号が入力された場合に、対応する異常時運転を実行させるモードである。例えば、異常時運転として、火災時管制運転の指示を表す信号がエレベーター制御盤３１に入力された場合に、火災時管制運転を実行させる。火災時管制運転は、エレベーター制御盤３１がエレベーター駆動装置１３を制御して、乗りかご１１を１階等の避難階に移動させて、乗りかご扉を開放して乗りかご１１を停止状態で維持することである。乗りかご１１内の制御盤（図示せず）とエレベーター制御盤３１との間では、テールコード１８を介して信号伝送が行われる。このとき、乗りかご１１内の制御盤とエレベーター制御盤３１との間で、無線で信号の伝送がおこなわれてもよい。
【００１５】
エレベーター監視盤４０は、建物内で、昇降路１０から離れた位置の管理人室１９に配置される。管理人室１９は、建物の１階または地下等、建物において、エレベーター制御盤３１が配置される階より下側の階に配置される。エレベーター監視盤４０は、ＣＰＵなどの演算制御部と、メモリなどの記憶部とを有する。また、エレベーター監視盤４０は、監視無線伝送部４１、監視有線伝送部４２、操作部４３及び表示部４４を有する。監視無線伝送部４１は、無線送信アンテナ４１ａを有し、後述の中継盤５０に向けて無線信号を伝送する。監視有線伝送部４２は、後述の中継盤５０の中継有線伝送部５１と有線である信号ケーブル６１で接続され、中継盤５０との間で信号の送受信を行う。
【００１６】
操作部４３は、例えばキースイッチ、操作釦等であり、エレベーターの運転を指示するための装置である。例えばキースイッチは、エレベーター監視盤４０に設けられ、キースイッチが操作されることで、例えば火災時管制運転が手動で指示される。このとき、火災時管制運転の手動指示を表す信号は、監視無線伝送部４１から、後述の中継盤５０の中継無線伝送部５２に、無線信号により送られる。その無線信号に対応する信号は、中継盤５０の中継有線伝送部５１からエレベーター制御盤３１の制御有線伝送部３２に信号ケーブル６０を介して送られる。
【００１７】
エレベーター監視盤４０には、建物の自動火災報知器６２（図２）が信号線を介して直接に、または建物の集中監視装置（図示せず）を介して接続される。自動火災報知器６２が作動した場合には、その作動を表す信号（火災報知信号）が、建物内で異常が検知されたことを表す異常検知信号としてエレベーター監視盤４０に送られる。このとき、エレベーター監視盤４０は、火災時管制運転の自動指示を表す信号を発生させる。その自動指示を表す信号も、無線信号で中継盤５０に送られ、中継盤５０からエレベーター制御盤３１に、その無線信号に対応する信号として信号ケーブル６０を介して送られる。エレベーター制御盤３１は、火災時管制運転の手動指示または自動指示を表す信号が入力された場合に、上記の火災時管制運転を実行させる。このような火災時管制運転の指示を表す信号をエレベーター監視盤４０からエレベーター制御盤３１に伝送させる構成は、その構成がない既存のエレベーターの設備に対し、後述のようにエレベーター設備業者側で容易に付加することができる。
【００１８】
表示部４４は、乗りかご１１の位置、エレベーターの故障の有無等のエレベーターの運転状況を表示するディスプレイ等である。その表示部４４の表示のために、エレベーター制御盤３１の制御有線伝送部３２から中継盤５０の中継有線伝送部５１に、信号ケーブル６０を介して、エレベーターの運転状況を表す信号が送られる。そして、その信号は、中継有線伝送部５１からエレベーター監視盤４０の監視有線伝送部４２に信号ケーブル６１を介して送られる。エレベーター監視盤４０は、監視有線伝送部４２に送られた信号が表わす運転状況を表示部４４に表示させる。乗りかごが複数台ある場合には、それぞれの乗りかごの運転状況も表示部４４で表示させることができる。
【００１９】
エレベーター制御盤３１とエレベーター監視盤４０との間の信号経路４５は、上記の信号ケーブル６０，６１と、後述の中継盤５０及び無線信号経路６３（図２）とを含む。
【００２０】
中継盤５０は、エレベーター監視盤４０とエレベーター制御盤３１との間の信号経路４５の途中に設けられるものであり、昇降路１０内の例えば１階等に配置される。中継盤５０は、中継有線伝送部５１及び中継無線伝送部５２を有する。中継有線伝送部５１は、監視有線伝送部４２と制御有線伝送部３２との間の信号経路に接続される。中継無線伝送部５２は、無線受信アンテナ５２ａを有し、エレベーター監視盤４０の監視無線伝送部４１から伝送された無線信号、例えば火災時管制運転の指示を表す信号等の無線信号を受信する。そして、その無線信号が表わす情報は、中継盤５０で有線信号に変換され、中継有線伝送部５１からエレベーター制御盤３１の制御有線伝送部３２に信号ケーブル６０を介して送られる。
【００２１】
無線信号経路６３（図２）は、エレベーター監視盤４０の監視無線伝送部４１及び中継盤５０の中継無線伝送部５２の間の信号経路である。図２では無線信号経路６３を破線で示している。これにより、エレベーター監視盤４０とエレベーター制御盤３１との間で信号を伝送する信号経路４５の一部は無線化されている。
【００２２】
上記のエレベーター信号伝送装置３０によれば、エレベーター監視盤４０とエレベーター制御盤３１との間で新たな種類の信号を伝送させる場合において、エレベーター設備業者の費用の増大を抑制でき、かつ、信号線の劣化による断線を防止できる。例えば、既存の設備として、有線の信号ケーブル６１でエレベーター監視盤４０と中継盤５０とが接続され、火災時管制運転の指示を表す信号をエレベーター監視盤４０からエレベーター制御盤３１に伝送させる構成がない場合がある。この場合に、実施形態によれば、この既存の設備に対し、エレベーター設備業者側で監視無線伝送部４１から中継無線伝送部５２にその信号を無線で伝送させる構成を容易に付加できる。具体的には、エレベーター監視盤４０と中継盤５０との間で、新たに有線の信号ケーブルを付加する必要がない。これにより、昇降路１０外の信号ケーブルを付加する必要がないので、エレベーター設備業者の費用の増大を抑制でき、かつ、信号ケーブルの劣化による断線を防止できる。一方、昇降路１０外には、建物内に多くの信号ケーブルが配置され、その配置作業は、電気工事会社で行われる。これにより、エレベーター設備業者が既存の信号ケーブルの配置位置を完全に理解することは困難であり、エレベーター設備業者で新たに信号ケーブルを付加する場合には、配置位置の不明な信号ケーブルも新たに配線し直す必要が生じる場合もある。本実施形態によれば、新たに信号ケーブルを付加する必要がないので、既存の設備に対し、エレベーター設備業者側で監視無線伝送部４１から中継無線伝送部５２に新たな種類の信号を無線で伝送させる構成を容易に付加できる。一方、中継盤５０とエレベーター制御盤３１との間での信号ケーブル６０の一部は、昇降路１０内に配置されるが、その信号ケーブルは、エレベーター設備業者が配置する。これにより、エレベーター監視盤と中継盤との間に新たな種類の信号を無線で送る構成を付加することに対応して中継盤５０とエレベーター制御盤３１との間で新たな信号ケーブルを付加する場合でも、エレベーター設備業者がその付加のための作業を容易に行える。
【００２３】
なお、エレベーター監視盤４０の監視有線伝送部４２及び監視有線伝送部４２に接続された信号ケーブル６１を取り外し、エレベーター監視盤４０と中継盤５０との間の信号経路を無線化することもできる。また、上記では、エレベーター監視盤４０から中継盤５０に無線で信号を送信する場合を説明した。一方、エレベーター制御盤３１からエレベーター監視盤４０に新たな種類の信号を伝送させる構成を付加する場合に、中継無線伝送部５２から監視無線伝送部４１にその信号を無線で送信させる機能を付加してもよい。その場合には、中継無線伝送部５２には無線送信アンテナを取り付け、監視無線伝送部４１には無線受信アンテナを取り付ける。
【００２４】
また、上記では、エレベーター監視盤４０からエレベーター制御盤３１に火災時管制運転の指示を表す異常時制御信号が伝送される場合を説明した。一方、エレベーター監視盤４０からエレベーター制御盤３１に別の種類の異常時制御信号が伝送される構成としてもよい。例えば、建物内のガス漏れセンサからエレベーター監視盤４０にガス漏れ検知信号が入力された場合に、ガス漏れ時管制運転の指示を表す異常時制御信号がエレベーター監視盤４０からエレベーター制御盤３１に伝送される構成としてもよい。また、エレベーター監視盤に新たにスイッチの取付を行ったり、その監視盤の仕様を変更した場合に、その監視盤とエレベーター制御盤との間で新たな種類の信号を伝送させる必要が生じる場合がある。この場合に、その信号がエレベーター監視盤４０と中継盤５０との間、またはエレベーター監視盤４０とエレベーター制御盤３１との間で無線により伝送される構成としてもよい。
【００２５】
上記では中継盤５０が１つである場合を説明した。一方、昇降路１０の長さが大きい等の場合に昇降路１０内に複数の中継盤を異なる階に配置してもよい。その場合、複数の中継盤のうち、最下階に位置する中継盤とエレベーター監視盤４０とを無線信号経路で接続し、その中継盤とエレベーター制御盤３１との間で、他の中継盤を含む信号経路を有線で接続してもよい。このとき、複数の中継盤の間の信号経路を無線化してもよい。また、中継盤を省略して、エレベーター監視盤４０とエレベーター制御盤３１との間の信号経路を無線で接続する構成としてもよい。
【符号の説明】
【００２６】
１０  昇降路、１１  乗りかご、１３  エレベーター駆動装置、１４  ロープ、１５  つり合い重り、１６  機械室、１７  巻き上げ機、１８  テールコード、１９  管理人室、３０  エレベーター信号伝送装置、３１  エレベーター制御盤、３２  制御有線伝送部、３３  エレベーター制御部、４０  エレベーター監視盤、４１  監視無線伝送部、４１ａ  無線送信アンテナ、４２  監視有線伝送部、４３  操作部、４４  表示部、４５  信号経路、５０  中継盤、５１  中継有線伝送部、５２  中継無線伝送部、５２ａ  無線受信アンテナ、６０，６１  信号ケーブル、６２  自動火災報知器、６３  無線信号経路。
【図１】
2018188261.tif 000003
【図２】
2018188261.tif 000004